【手続補正書】
【提出日】平成21年8月12日(2009.8.12)
【手続補正１】
【補正対象書類名】特許請求の範囲
【補正対象項目名】全文
【補正方法】変更
【補正の内容】
【特許請求の範囲】
【請求項１】
複数種の図柄からなる図柄群をそれぞれ有する複数のリールと、
前記複数のリールの回転を開始させうる始動操作手段と、
回転している前記複数のリールを停止させうる停止操作手段と、
複数のリールが停止したときに、ゲームの結果が図柄組み合わせにより表示されうる図柄表示部と、
前記図柄表示部に表示された図柄組み合わせに基づいて、１ゲーム毎に所定の特典を付与する特典付与手段と、
前記図柄表示部に表示された図柄組み合わせがボーナス図柄の組み合わせであるときには、遊技者に有利なボーナスゲームを実行しうるボーナスゲーム実行手段と、
特定役の当選にかかる内部抽選を行う内部抽選手段と、
前記内部抽選において所定の確率で特定役が当選される低確率状態、またはこの低確率状態よりも高い確率で前記特定役が当選される高確率状態に制御しうるとともに、規定回数のゲームが行われるまで前記高確率状態を維持しうる状態制御手段と
を備え、前記低確率状態であるか前記高確率状態であるかにかかわらず、前記ボーナス図柄の組み合わせが所定の確率で前記図柄表示部に表示されるとともに、前記内部抽選において前記特定役が当選されたときには、所定の特典が付与されるように、前記ボーナス図柄の組み合わせとは異なる特定の図柄組み合わせが前記図柄表示部に表示されうる遊技機であって、
所定の演出画像が表示される表示手段と、
前記高確率状態に制御されていたとしても前記ボーナス図柄の組み合わせが表示される可能性を残しつつ、前記ボーナス図柄の組み合わせとは異なる前記特定の図柄組み合わせが表示される確率が高められる前記高確率状態に制御されている旨を前記表示手段にて表示する状態開示手段と
をさらに備え、前記特定の図柄組み合わせが表示される確率が高められながらも前記ボーナス図柄の組み合わせが表示される可能性のある前記高確率状態において行いうるゲーム回数が開示されるものであり、
前記状態制御手段は、
前記規定回数のゲームが行われる間に前記ボーナス図柄の組み合わせが表示されなかったとしても、特定条件が成立したもとでは、当該規定回数を超えて、前記ボーナス図柄の組み合わせが表示される可能性のある前記高確率状態に制御しうる
ことを特徴とする遊技機。
【請求項２】
前記状態制御手段は、規定回数のゲームが行われるまで前記高確率状態を維持しうるとともに、
前記状態開示手段は、前記高確率状態に制御される期待感を遊技者に与えるべく、前記低確率状態に制御されているときにも、当該低確率状態において行いうるゲーム回数を、前記表示手段にて開示する
請求項１に記載の遊技機。
【請求項３】
前記表示手段は、所定の演出画像が表示される液晶表示装置である
請求項２または３に記載の遊技機。
【手続補正２】
【補正対象書類名】明細書
【補正対象項目名】０００７
【補正方法】変更
【補正の内容】
【０００７】
請求項１に記載の遊技機は、
複数種の図柄からなる図柄群をそれぞれ有する複数のリールと、前記複数のリールの回転を開始させうる始動操作手段と、回転している前記複数のリールを停止させうる停止操作手段と、複数のリールが停止したときに、ゲームの結果が図柄組み合わせにより表示されうる図柄表示部と、前記図柄表示部に表示された図柄組み合わせに基づいて、１ゲーム毎に所定の特典を付与する特典付与手段と、前記図柄表示部に表示された図柄組み合わせがボーナス図柄の組み合わせであるときには、遊技者に有利なボーナスゲームを実行しうるボーナスゲーム実行手段と、特定役の当選にかかる内部抽選を行う内部抽選手段と、前記内部抽選において所定の確率で特定役が当選される低確率状態、またはこの低確率状態よりも高い確率で前記特定役が当選される高確率状態に制御しうるとともに、規定回数のゲームが行われるまで前記高確率状態を維持しうる状態制御手段とを備え、前記低確率状態であるか前記高確率状態であるかにかかわらず、前記ボーナス図柄の組み合わせが所定の確率で前記図柄表示部に表示されるとともに、前記内部抽選において前記特定役が当選されたときには、所定の特典が付与されるように、前記ボーナス図柄の組み合わせとは異なる特定の図柄組み合わせが前記図柄表示部に表示されうる遊技機であって、所定の演出画像が表示される表示手段と、前記高確率状態に制御されていたとしても前記ボーナス図柄の組み合わせが表示される可能性を残しつつ、前記ボーナス図柄の組み合わせとは異なる前記特定の図柄組み合わせが表示される確率が高められる前記高確率状態に制御されている旨を前記表示手段にて表示する状態開示手段とをさらに備え、前記特定の図柄組み合わせが表示される確率が高められながらも前記ボーナス図柄の組み合わせが表示される可能性のある前記高確率状態において行いうるゲーム回数が開示されるものであり、前記状態制御手段は、前記規定回数のゲームが行われる間に前記ボーナス図柄の組み合わせが表示されなかったとしても、特定条件が成立したもとでは、当該規定回数を超えて、前記ボーナス図柄の組み合わせが表示される可能性のある前記高確率状態に制御しうるものである。
上記の遊技機によれば、所定の特典が付与される特定役が当選される確率の変更有無を決定する所定契機が、規定回数のゲームが行われると訪れる。このため、遊技者は、特定役が当選される確率の変更有無の決定が何ゲーム後に行われるかを知ることができる。そして、特定役が当選される確率の変更有無の決定が近づくにつれて、その結果が高い確率であることに期待感を盛り上げ、面白く遊技することができる。
【手続補正３】
【補正対象書類名】明細書
【補正対象項目名】０００８
【補正方法】変更
【補正の内容】
【０００８】
前記規定回数は、遊技店において借用できる最小単位の数の遊技媒体で遊技可能な平均的ゲーム数よりも多く設定されていることが好ましい。
上記の遊技機によれば、規定回数は、遊技店において借用できる最小単位の数の遊技媒体で遊技可能な平均的ゲーム数よりも多く設定されている。このため、所定ゲーム数が実行されることによって所定契機が訪れ、特定役が当選される確率の変更有無を決定するよりも前に、借用できる最小単位の数の遊技媒体は全て掛けられ、遊技者の手持ちの遊技媒体はなくなる。従って、遊技者は、特定役が当選される確率の変更有無決定の前に、更に遊技媒体を借用するか否かを判断することができる。ここで、「遊技店において借用できる最小単位の数の遊技媒体」とは、遊技店に設置されている遊技媒体の貸出装置から、遊技者が借用することができる最小単位の遊技媒体の数を意味する。
【手続補正４】
【補正対象書類名】明細書
【補正対象項目名】０００９
【補正方法】変更
【補正の内容】
【０００９】
前記規定回数は、遊技店において借用できる最小単位の数の遊技媒体で遊技可能な平均的ゲーム数の２倍以内に設定されていることが好ましい。
上記の遊技機によれば、規定回数は、遊技店において借用できる最小単位の数の遊技媒体で遊技可能な平均的ゲーム数の２倍以内に設定されている。このため、手持ちの遊技媒体がなくなっても、借用できる最小単位の２倍の遊技媒体数を掛けることで、次の特定役が当選される確率の変更有無の決定が訪れる。すなわち、借用できる最小単位の数の遊技媒体を多く掛けることなく、次の特定役が当選される確率の変更有無の決定結果を知ることができる。